【手続補正書】
【提出日】平成25年6月18日(2013.6.18)
【手続補正１】
【補正対象書類名】明細書
【補正対象項目名】００３０
【補正方法】変更
【補正の内容】
【００３０】
【図１】マネージドコピー（ＭＣ：Ｍａｎａｇｅｄ  Ｃｏｐｙ）システムの概要を説明する図である。
【図２】ユニット構成およびユニットキー管理テーブルについて説明する図である。
【図３】メディアのディレクトリ構成例について説明する図である。
【図４】管理サーバの管理によるコピー処理（ＭＣ（Ｍａｎａｇｅｄ  Ｃｏｐｙ））のシーケンスについて説明する図である。
【図５】第１メディアの記録情報であるコピー制御管理ファイル（ＭＣＭＦ：Ｍａｎａｇｅｄ  Ｃｏｐｙ  Ｍａｎｉｆｅｓｔ  Ｆｉｌｅ）の構成データについて説明する図である。
【図６】コピー実行要求に含まれるデータの一例を示す図である。
【図７】サーバ応答情報（Ｏｆｆｅｒ  Ｒｅｓｐｏｎｓｅ）１３１に含まれる基本情報について説明する図である。
【図８】コピー元となる第１メディア１１０からコピー先となる第２メディア１５０（ハードディスク（ＨＤＤ））に対するコピー処理の例について説明する図である。
【図９】プレイリストファイルの構成例と利用例について説明する図である。
【図１０】プレイリストファイルの構成例と利用例について説明する図である。
【図１１】アングル切り替え処理に適用するデータについて説明する図である。
【図１２】アングル切り替え処理に適用するデータについて説明する図である。
【図１３】プレイリストファイルのシンタクス（データ構造）について説明する図である。
【図１４】プレイリストファイル内のプレイアイテム情報のシンタクス（データ構造）について説明する図である。
【図１５】クリップ情報ファイルのシンタクス（データ構造）について説明する図である。
【図１６】クリップ情報ファイルのＰｒｏｇｒａｍＩｎｆｏについて説明する図である。
【図１７】クリップ情報ファイルのＰｒｏｇｒａｍＩｎｆｏのシンタクス（データ構造）について説明する図である。
【図１８】クリップ情報ファイルのＣＰＩ（Ｃｈａｒａｃｔｅｒｉｓｔｉｃ  Ｐｏｉｎｔ  Ｉｎｆｏｒｍａｔｉｏｎ）のシンタクス（データ構造）について説明する図である。
【図１９】クリップ情報ファイルに含まれるＥＰマップについて説明する図である。
【図２０】クリップ情報ファイルに含まれるＥＰマップについて説明する図である。
【図２１】本発明の情報処理装置の実行するコンテンツコピー処理の詳細について説明する図である。
【図２２】本発明の情報処理装置の実行するデータ変換処理例について説明する図である。
【図２３】本発明の情報処理装置の実行するデータ変換処理例について説明する図である。
【図２４】本発明の情報処理装置の実行するコンテンツコピー処理の詳細について説明する図である。
【図２５】本発明の情報処理装置の実行するコピー処理シーケンスについて説明するフローチャートを示す図である。
【図２６】本発明の情報処理装置の実行するコピー処理シーケンスについて説明するフローチャートを示す図である。
【図２７】本発明の情報処理装置の実行するコピー処理シーケンスについて説明するフローチャートを示す図である。
【図２８】本発明の情報処理装置の実行するコピー処理シーケンスについて説明するフローチャートを示す図である。
【図２９】本発明の情報処理装置の実行するコピー処理シーケンスについて説明するフローチャートを示す図である。
【図３０】プレイリストファイルの更新処理例を示す図である。
【図３１】クリップ情報ファイルの更新処理例を示す図である。
【図３２】情報処理装置の構成例について説明する図である。
【手続補正２】
【補正対象書類名】明細書
【補正対象項目名】００６１
【補正方法】変更
【補正の内容】
【００６１】
ＭＫＢ（Ｍｅｄｉａ  Ｋｅｙ  Ｂｌｏｃｋ）について簡単に説明する。ＭＫＢはブロードキャストエンクリプション方式の一態様として知られる木構造の鍵配信方式に基づいて生成される暗号鍵ブロックである。ＭＫＢは有効なライセンスを持つユーザの情報処理装置に格納されたデバイスキー［Ｋｄ］に基づく処理（復号）によってのみ、コンテンツの復号に必要な鍵であるメディアキー［Ｋｍ］の取得を可能とした鍵情報ブロックである。これはいわゆる階層型木構造に従った情報配信方式を適用したものであり、ユーザデバイス（情報処理装置）が有効なライセンスを持つ場合にのみ、メディアキー［Ｋｍ］の取得を可能とし、無効化（リボーク処理）されたユーザデバイスにおいては、メディアキー［Ｋｍ］の取得が不可能となる。図４に示す情報処理装置１２０のメモリには、デバイスキー［Ｋｄ］が格納されている。
【手続補正３】
【補正対象書類名】明細書
【補正対象項目名】００８４
【補正方法】変更
【補正の内容】
【００８４】
図８の左側に示す第１メディア１１０のディレクトリから太線で示されたファイルが選択されてコピーされた例を示している。すなわち、
プレイリストファイル（ＰＬＡＹＬＩＳＴ）：００００１．ｍｐｌｓ、
クリップ情報ファイル（ＣＬＩＰＩＮＦ）：０００１１．ｃｌｐｉ、０００１２．ｃｌｐｉ
ＡＶストリームファイル：００１１．ｍ２ｔｓ、００１２ｍ．２ｔｓ
これらのファイルが選択されてコピーされる。
このように例えばあるコピー処理に際しては、インデックスファイルやムービーオブジェクトファイル等の管理情報ファイルのコピーは行われず、プレイリストファイル〜ＡＶストリームファイルのみが記録される。
【手続補正４】
【補正対象書類名】明細書
【補正対象項目名】０１０９
【補正方法】変更
【補正の内容】
【０１０９】
アングル＃３の再生区間を３つに区分するとき、プレイリスト＃３は、各再生区間ｃ１，ｃ２，およびｃ３に対応して、３つのプレイアイテムで構成され、それぞれの再生区間ｃ１，ｃ２，およびｃ３に対応するＣｌｉｐ＃３のＡＶストリームデータがＣ１，Ｃ２，およびＣ３とされる。
【手続補正５】
【補正対象書類名】明細書
【補正対象項目名】０１３２
【補正方法】変更
【補正の内容】
【０１３２】
このような設定の場合、ＡＶストリームファイル＃１〜＃３の各々に対応するクリップ情報ファイル＃１〜＃３に記録されるＥＰマップは図１２に示すＥＰマップ１８１〜１８３に示すデータを含むＥＰマップとなる。
【手続補正６】
【補正対象書類名】明細書
【補正対象項目名】０１７１
【補正方法】変更
【補正の内容】
【０１７１】
図２１に示す例では、２つのストリームデータ（００００１．ｍ２ｔｓ、００００３．ｍ２ｔｓ）はマルチアングル対応データである。
これらのデータ再生区間には、アングル＃１の他、図に示す（ａ２）アングル＃２と、（ａ３）アングル＃３の計３つのアングルのストリームデータが設定され、ユーザはこれらのアングル＃１〜＃３の３つのアングルから任意のアングルデータを選択して再生することができる。
なお、図２１にはアングル＃１に対応する制御情報ファイルのみを（ｂ１）に示しているが、（ａ２）アングル＃２のストリームデータや、（ａ３）アングル＃３のストリームデータに対応する制御情報ファイル（プレイリストファイル、クリップ情報ファイル）もそれぞれ存在する。
【手続補正７】
【補正対象書類名】明細書
【補正対象項目名】０１８０
【補正方法】変更
【補正の内容】
【０１８０】
（２）ビデオ圧縮率の変換とは、例えば第１メディアに格納されたコピー元データの符号化フォーマットもコピー先である第２メディアに記録するデータの符号化形式も同じ、例えばていずれもＡＶＣＨＤフォーマットであるが、圧縮率を変更している例である。
具体的には、コピー元データが最大２５Ｍｂｐｓ、平均２０Ｍｂｐｓのビデオストリームデータによって構成されているデータについて、コピー先データを最大１５Ｍｂｐｓ、平均１０Ｍｂｐｓの設定に低下させるものである。この処理は例えば画質を多少落としたコピーデータを生成して記録するといった処理に相当する。
【手続補正８】
【補正対象書類名】明細書
【補正対象項目名】０１８４
【補正方法】変更
【補正の内容】
【０１８４】
なお、図２３（ａ）に示す（ａ）変換前データ（コピー元データ（第１メディア記録コンテンツ））は、例えば、図２１に示すマルチアングルコンテンツのクリップＡＶストリーム＃１中のストリームデータ（００００１．ｍ２ｔｓ）の詳細構成に対応する。
このストリームデータ（００００１．ｍ２ｔｓ）をコピー処理に際して変換した結果が、（ｂ）変換後データ（コピー先データ（第２メディア記録コンテンツ））であり、これが第２メディアにコピーデータとして記録されるデータに相当する。
【手続補正９】
【補正対象書類名】明細書
【補正対象項目名】０１８６
【補正方法】変更
【補正の内容】
【０１８６】
これに対して、図２３（ｂ）に示す、
（ｂ）変換後データ（コピー先データ（第２メディア記録コンテンツ））は、
１つのビデオストリーム（Ｖｉｄｅｏ）
１つのオーディオストリーム（Ａｕｄｉｏ）
１つのプレゼンテーショングラフィックスデータストリーム（ＰＧ＃１）
これらのストリームデータによって構成されている。
なお、（ａ）変換前データと（ｂ）変換後データは符号化形式も異なっている場合がある。
【手続補正１０】
【補正対象書類名】明細書
【補正対象項目名】０１９７
【補正方法】変更
【補正の内容】
【０１９７】
図に示す例では、２つのストリームデータ（００００１．ｍ２ｔｓ、００００３．ｍ２ｔｓ）はマルチアングル対応データである。
これらのデータ再生区間には、アングル＃１の他、図に示す（ａ２）アングル＃２と、（ａ３）アングル＃３の計３つのアングルのストリームデータが設定され、ユーザはこれらのアングル＃１〜＃３の３つのアングルから任意のアングルデータを選択して再生することができる。
なお、図２４には、図２１と同様、アングル＃１に対応する制御情報ファイルのみを（ｂ１）に示しているが、（ａ２）アングル＃２のストリームデータや、（ａ３）アングル＃３のストリームデータに対応する制御情報ファイル（プレイリストファイル、クリップ情報ファイル）もそれぞれ存在する。
【手続補正１１】
【補正対象書類名】明細書
【補正対象項目名】０２０２
【補正方法】変更
【補正の内容】
【０２０２】
本発明の情報処理装置のデータ処理部は、ストリームデータ００００１．ｍ２ｔｓの先頭のパケットのＳＰＮ変更に併せて、このストリームデータ００００１．ｍ２ｔｓに対応するクリップ情報ファイルのＥＰマップの登録情報を変更する。
本発明の情報処理装置のデータ処理部は、データ変換部の生成した変換データに基づいて、アングル切り替えポイントに対応するパケットの位置情報を取得し、コピー対象データに含まれる再生制御情報ファイル（クリップ情報ファイル）のＥＰマップに記録された変換前データのアングル切り替えポイント位置情報を、変換後データのアングル切り替えポイント位置情報に変更する再生制御情報ファイルの更新処理を実行する。すなわち、図２４（ｂ１）の中央に示すクリップ情報ファイルに記録されたＥＰマップの登録情報であるＳＰＮ＝ＸをＳＰＮ＝Ｎに書き換える処理を行う。
なお、再生時間情報であるＰＴＳ（プレゼンテーションタイムスタンプ）はデータ変換前も変更後も同一であり、変更されない。
【手続補正１２】
【補正対象書類名】明細書
【補正対象項目名】０２０７
【補正方法】変更
【補正の内容】
【０２０７】
本発明の情報処理装置のデータ変換部は、例えばコピー元データがＭＰＥＧ−２フォーマットデータであり、変換後のコピーデータが、ＭＰＥＧ−４ＡＶＣやＡＶＣＨＤフォーマット等のＡＶＣフォーマットである場合、アングル切り替えポイントのパケットにあるクローズドＧＯＰ（Ｃｌｏｓｅｄ  ＧＯＰ）の先頭Ｉピクチャを、ＡＶＣフォーマットにおけるＩＤＲピクチャに設定して符号化処理を実行する。
【手続補正１３】
【補正対象書類名】明細書
【補正対象項目名】０２２４
【補正方法】変更
【補正の内容】
【０２２４】
変換処理対象がビデオデータである場合は、ステップＳ１１５に進む。
ステップＳ１１５では、変換処理対象であるビデオデータがマルチアングルコンテンツであるか否かを判定する。この判定処理は、例えばプレイリストファイルのプレイアイテム情報、あるいはクリップ情報ファイルを参照して実行する。
先に図１４や、図２１（ｂ１）を参照して説明したプレイリストファイルのプレイアイテム情報中のマルチアングルコンテンツ識別フィールドに設定されたフラグ（ｉｓ＿＿ｓｅａｍｌｅｓｓ＿ｍｕｌｔｉ＿ａｎｇｌｅ）を参照して判定する。（ｉｓ＿＿ｓｅａｍｌｅｓｓ＿ｍｕｌｔｉ＿ａｎｇｌｅ＝＝１）であれば、このプレイアイテムの指定するコンテンツはマルチアングルコンテンツである。
【手続補正１４】
【補正対象書類名】明細書
【補正対象項目名】０２３０
【補正方法】変更
【補正の内容】
【０２３０】
データ変換部（トランスコーダ）に提供するアングル切り替えポイントのＩピクチャ情報は、クリップ情報ファイル（ＣｌｉｐＩｎｆｏ）のＥＰマップの登録情報である。
ＥＰマップには、例えば図２１（ｂ１）の中央のクリップ情報ファイルに示すように、ランダムアクセス可能なパケット位置情報における再生時間情報としてのタイムスタンプ（ＰＴＳ：プレゼンテーションタイムスタンプ）と、パケット位置を示すソースパケットナンバー（ＳＰＮ）との対応データを登録している。
さらに、アングル切り替えポイントの登録情報である場合は、アングル切り替えポイントであることを示すフラグ［ｉｓ＿ａｎｇｌｅ＿ｃｈａｎｇｅ＿ｐｏｉｎｔ＝＝１］が設定されている。
【手続補正１５】
【補正対象書類名】明細書
【補正対象項目名】０２３９
【補正方法】変更
【補正の内容】
【０２３９】
ステップＳ１７２において、データ処理部は、計算されたＧＯＰ先頭のソースパケットナンバー（ＳＰＮ）をＥＰマップ（ＥＰ＿ｍａｐ）に記録する。
この処理は、例えば先に図２４を参照して説明した処理に対応する。図２４に示すストリームデータ００００１．ｍ２ｔｓの先頭のパケットのＳＰＮ変更に併せて、このストリームデータ００００１．ｍ２ｔｓに対応するクリップ情報ファイルのＥＰマップの登録情報を変更する。すなわち、図２４（ｂ１）の中央に示すクリップ情報ファイルに記録されたＥＰマップの登録情報であるＳＰＮ＝ＸをＳＰＮ＝Ｎに書き換える処理を行う。このように、本発明の情報処理装置のデータ処理部は、データ変換部の生成した変換データに基づいて、アングル切り替えポイントに対応するパケットの位置情報を取得し、コピー対象データに含まれる再生制御情報ファイル（クリップ情報ファイル）のＥＰマップに記録された変換前データのアングル切り替えポイント位置情報を、変換後データのアングル切り替えポイント位置情報に変更する再生制御情報ファイルの更新処理を実行する。なお、再生時間情報であるＰＴＳ（プレゼンテーションタイムスタンプ）はデータ変換前も変更後も同一であり、変更されない。
【手続補正１６】
【補正対象書類名】明細書
【補正対象項目名】０２４４
【補正方法】変更
【補正の内容】
【０２４４】
プレイリストファイルとクリップ情報ファイルの更新処理例について、図３０、図３１を参照して説明する。
図３０は、プレイリストファイルの更新処理例を示す図である。
図３１は、クリップ情報ファイルの更新処理例を示す図である。
【手続補正１７】
【補正対象書類名】明細書
【補正対象項目名】０２４５
【補正方法】変更
【補正の内容】
【０２４５】
まず、図３０を参照してプレイリストファイルの更新処理例について説明する。
図３０に示す例は、プレイリストファイルに設定されたサプパス情報（ＳｕｂＰａｔｈ（））を削除する例である。例えば日本語音声としてのオーディオ（１）と英語音声としてのオーディオ（２）が設定されている構成で、英語音声としてのオーディオ（２）をコピー対象としないで削除する場合、この英語音声としてのオーディオ（２）のオーディオストリームの指定情報として利用されるサブパスが削除される。
【手続補正１８】
【補正対象書類名】明細書
【補正対象項目名】０２４６
【補正方法】変更
【補正の内容】
【０２４６】
このように、コピー元の第１メディアに記録されたプレイリストファイル（＝図３０に示す（１）更新前プレイリスト）を第２メディアにコピーする際に、削除したサブパス対応のクリップＡＶストリームがある場合は、その削除したクリップＡＶストリームの指定情報として利用されていたサプパス情報（ＳｕｂＰａｔｈ（））を削除する。
【手続補正１９】
【補正対象書類名】明細書
【補正対象項目名】０２４７
【補正方法】変更
【補正の内容】
【０２４７】
この削除処理よって、図３０に示す（２）更新後プレイリストを作成する。この更新されたプレイリストファイルが、コピー先としての第２メディアに記録される。
【手続補正２０】
【補正対象書類名】明細書
【補正対象項目名】０２４８
【補正方法】変更
【補正の内容】
【０２４８】
図３１は、クリップ情報ファイルの更新処理例を示す図である。クリップ情報ファイルは、再生対象データであるクリップＡＶストリームに対応する再生情報等を記録したファイルであり、データ削除処理や変換処理後のクリップＡＶストリームデータに従った記録データに変更する処理を行う。
【手続補正２１】
【補正対象書類名】明細書
【補正対象項目名】０２４９
【補正方法】変更
【補正の内容】
【０２４９】
具体的には、図３１に示すようなデータ変更を行う。すなわち、
ＴＳ＿ｒｅｃｏｒｄｉｎｇ＿ｒａｔｅ：データ変換（Ｔｒａｎｓｃｏｄｅ）後のビットレートに変更する。
ｎｕｍｂｅｒ＿ｏｆ＿ｓｏｕｒｃｅ＿ｐａｃｋｅｔｓ：データ変換（Ｔｒａｎｓｃｏｄｅ）後のパケット総数に変更する。
ＰｒｏｇｒａｍＩｎｆｏ（）：データ変換（Ｔｒａｎｓｃｏｄｅ）後にトランスポートストリーム（ＴＳ）に含まれているストリームの情報に合わせる変更処理を行う。
ｎｕｍｂｅｒ＿ｏｆ＿ｓｔｒｅａｍ＿ｉｎ＿ｐｓ：データ変換（Ｔｒａｎｓｃｏｄｅ）後のストリーム数に変更する。
ＰＩＤ，ＳｔｒｅａｍＣｏｄｉｎｇＩｎｆｏ（）：データ変換（Ｔｒａｎｓｃｏｄｅ）後のストリームに合わせた情報に変更する。なお、削除したストリームの情報は削除する。
ＥＰマップのＳＰＮ：データ変換（Ｔｒａｎｓｃｏｄｅ）後のパケット番号に変更する。
例えばこれらの変更処理を伴うクリップ情報ファイルの更新処理を実行する。
【手続補正２２】
【補正対象書類名】明細書
【補正対象項目名】０２５３
【補正方法】変更
【補正の内容】
【０２５３】
すなわち、クリップ情報ファイルに記録されるＥＰマップの登録情報には、アングル切り替えポイントのＰＴＳ／ＳＰＮデータが変換後のクリップＡＶストリームの構成に対応した正しい設定となる。
またクリップＡＶストリーム中のアングル切り替えポイントの先頭ピクチャは、クローズドＧＯＰの先頭Ｉピクチャ、またしＩＤＲピクチャとして設定され、スムーズな復号、再生可能なピクチャとして設定されることになる。
【手続補正２３】
【補正対象書類名】明細書
【補正対象項目名】０２５６
【補正方法】変更
【補正の内容】
【０２５６】
情報処理装置１２０は、図２３に示すように、データ処理部（制御部）５０１、通信部５０２、入力部５０３、出力部５０４、メモリ５０５、第１メディアインタフェース５０６、第２メディアインタフェース５０７、データ変換部（トランスコーダ）５２１を有する。
【手続補正２４】
【補正対象書類名】明細書
【補正対象項目名】０２５７
【補正方法】変更
【補正の内容】
【０２５７】
データ処理部５０１は、様々なデータ処理プログラムを実行するプログラム実行機能を持つＣＰＵ等によって構成される。例えばデータ記録再生処理の他、前述の各フローチャートに従ったコピー処理に伴う様々な処理を実行する。さらに通信部５０２を介した管理サーバ１４０との通信処理など、装置の実行する処理全般の制御を行う。
【手続補正２５】
【補正対象書類名】特許請求の範囲
【補正対象項目名】全文
【補正方法】変更
【補正の内容】
【特許請求の範囲】
【請求項１】
第１メディアの記録データを第２メディアに記録するコピー処理の制御を実行するデータ処理部と、
前記コピー処理におけるデータ変換を実行するデータ変換部を有し、
前記データ処理部は、
前記第１メディアに記録されたコピー対象データが、アングル切り替え処理を許容するマルチアングルコンテンツであるか否かを判定し、
マルチアングルコンテンツであると判定した場合、アングル切り替えポイント情報を取得して前記データ変換部に提供し、
前記データ変換部は、
アングル切り替えポイント位置のピクチャを再生開始点として再生する場合に少なくとも先行ピクチャを参照せずに復号可能とした変換データを生成する情報処理装置。
【請求項２】
前記データ変換部は、
前記アングル切り替えポイントのピクチャがクローズドＧＯＰ（Ｃｌｏｓｅｄ  ＧＯＰ）のＩピクチャである場合、
変換後のデータにおいても、該アングル切り替えポイントのＩピクチャをクローズドＧＯＰ（Ｃｌｏｓｅｄ  ＧＯＰ）のＩピクチャとして維持して変換データを生成する請求項１に記載の情報処理装置。
【請求項３】
前記データ変換部は、
前記アングル切り替えポイントのピクチャがクローズドＧＯＰ（Ｃｌｏｓｅｄ  ＧＯＰ）のＩピクチャであり、
変換後のデータが、ＡＶＣフォーマットである場合、前記アングル切り替えポイントのＩピクチャをＡＶＣフォーマットにおいて定義されるＩＤＲ（Ｉｎｓｔａｎｔａｎｅｏｕｓ  Ｄｅｃｏｄｅｒ  Ｒｅｆｒｅｓｈ）ピクチャとして変換する処理を行う請求項１に記載の情報処理装置。
【請求項４】
前記データ変換部は、
前記アングル切り替えポイントのピクチャがＡＶＣフォーマットにおいて定義されるＩＤＲ（Ｉｎｓｔａｎｔａｎｅｏｕｓ  Ｄｅｃｏｄｅｒ  Ｒｅｆｒｅｓｈ）ピクチャである場合、変換後のデータにおいても、該アングル切り替えポイントのＩＤＲピクチャをＩＤＲピクチャとして維持して変換データを生成する請求項１に記載の情報処理装置。
【請求項５】
前記データ処理部は、
前記第１メディアに記録されたコピー対象データの制御情報ファイルであるプレイリストファイルまたはクリップ情報ファイルの記録情報を参照して、マルチアングルコンテンツであるか否かを判定する処理を実行する請求項１に記載の情報処理装置。
【請求項６】
前記データ処理部は、
前記第１メディアに記録されたコピー対象データの制御情報ファイルであるプレイリストファイルのプレイアイテム情報単位で、各プレイアイテムによって指定されるストリームデータがマルチアングル対応データであるか否かを判定する請求項１に記載の情報処理装置。
【請求項７】
前記データ変換部は、
前記第１メディアに記録されたコピー対象データの制御情報ファイルであるクリップ情報ファイルのＥＰマップに記録されているアングル切り替えポイントのパケット位置を示すソースパケットナンバー（ＳＰＮ）に規定されるパケットに含まれる先頭ピクチャをクローズドＧＯＰの先頭ＩピクチャまたはＩＤＲピクチャとして変換データを生成する請求項１に記載の情報処理装置。
【請求項８】
前記データ変換部は、
符号化方式の変換、または圧縮率の変換、またはストリームの削除の少なくともいずれかの処理を含むデータ変換処理を実行する請求項１に記載の情報処理装置。
【請求項９】
前記情報処理装置は、さらに、
管理サーバとの通信を実行する通信部を有し、
前記データ処理部は、前記管理サーバからの受信情報に基づいて、前記第１メディアの記録データに含まれるコピー許容データのリストを表示し、表示情報に対するユーザ指定に基づいてコピー対象データを選択する請求項１に記載の情報処理装置。
【請求項１０】
情報処理装置において実行する情報処理方法であり、
データ処理部が、第１メディアの記録データを第２メディアに記録するコピー処理の制御を実行するデータ処理ステップと、
データ変換部が、前記コピー処理におけるデータ変換を実行するデータ変換ステップを実行し、
前記データ処理ステップにおいては、
前記第１メディアに記録されたコピー対象データが、アングル切り替え処理を許容するマルチアングルコンテンツであるか否かを判定し、
マルチアングルコンテンツであると判定した場合、アングル切り替えポイント情報を取得して前記データ変換部に提供し、
前記データ変換ステップは、
アングル切り替えポイント位置のピクチャを再生開始点として再生する場合に少なくとも先行ピクチャを参照せずに復号可能とした変換データを生成するステップである情報処理方法。
【請求項１１】
情報処理装置において情報処理を実行させるプログラムであり、
データ処理部に、第１メディアの記録データを第２メディアに記録するコピー処理の制御を実行させるデータ処理ステップと、
データ変換部に、前記コピー処理におけるデータ変換を実行させるデータ変換ステップを実行させ、
前記データ処理ステップにおいては、
前記第１メディアに記録されたコピー対象データが、アングル切り替え処理を許容するマルチアングルコンテンツであるか否かを判定させて、
マルチアングルコンテンツであると判定した場合、アングル切り替えポイント情報を取得して前記データ変換部に提供させ、
前記データ変換ステップにおいては、
アングル切り替えポイント位置のピクチャを再生開始点として再生する場合に少なくとも先行ピクチャを参照せずに復号可能とした変換データを生成させるプログラム。
【手続補正２６】
【補正対象書類名】図面
【補正対象項目名】図４
【補正方法】変更
【補正の内容】
【図４】
2012018727.tif 000001
【手続補正２７】
【補正対象書類名】図面
【補正対象項目名】図２６
【補正方法】変更
【補正の内容】
【図２６】
2012018727.tif 000002